(57)【要約】      （修正有）【課題】盗難防止Ｕ字形ロック装置を二輪車で携行しようとする場合、車体に専用収納構造を有する一部の車両を除いては他の収納物と混載する場合が多く混雑による不便を生じ収納スペースにも限りがあるため、携行を容易にする。【解決手段】Ｕ字形ロック装置携行器具を器具として独立させ、車体の適切な箇所への連結固定を可能にする。１枚の背面プレート１と、２枚の山形垂直プレート３−１、３−２と、１枚の水平プレート２と、１本の固定バンド４よりなる器具を用い、２枚の山形垂直プレートの外側にＵ字形ロック装置の丸鉄棒を保持し、水平プレートの上部にＵ字形ロック装置の鍵部を載せて保持する。さらに鍵部が載せられた水平プレートを、固定バンドを背面プレートの背面側から前方にかけ渡すことで固定し、Ｕ字形ロック装置を固定する。【選択図】図５
2013141972.tif 000002
【特許請求の範囲】
【請求項１】
Ｕ字形ロック装置のＵ字形部左右２本の垂直部のそれぞれを保持する水平保持部とＵ字形部を挿入施錠する鍵部を保持する垂直保持部の３箇所で保持部を構成し、鍵部の上方より下方向に押さえて固定する押さえ構造を有するＵ字形ロック装置携行器具。
【発明の詳細な説明】
【技術分野】
【０００１】本発明はＵ字形ロック装置の二輪車での携行に際し、その収納保持に於ける、取扱を容易にする技術に関する。
【背景技術】
【０００１】Ｕ字形ロック装置の二輪車での携行に際し、車体に組み込まれた収納構造を有する一部の車両を除いては、器具として独立した専用収納機構はない。
【先行技術文献】
【０００１】
【特許文献１】特許公開平９−２９０７８２
【０００２】
【特許文献２】特許公開平１０−１５２０７８
【０００３】
【特許文献３】特許公開平１１−２７８３３７
【０００４】
【特許文献４】特許公開２０００−１２８０４４
【発明の概要】
【発明が解決しようとする課題】
【０００１】盗難防止Ｕ字形ロック装置を二輪車で携行しようとする場合、車体に専用の収納構造を有する一部の車両を除いては他の収納物と混載する場合が多く混雑による不便を生じ、収納スペースにも限りがあるため、二輪車の適切な箇所への収納保持を可能にし、携行を容易にする事を課題とする。
【課題を解決するための手段】
【０００１】前述の課題を解決するため、Ｕ字形ロック装置保持器具を器具として独立させ車体の適切な箇所への連結固定を可能にする。その連結固定に係る方法は、車体の連結固定しようとする箇所の構造状況に応じて多角的に容易に考案されるものである。Ｕ字形ロック装置携行器具としてＵ字形左右垂直部の内側に沿ってＵ字形丸鉄外径に則す縦長プレートを配しＵ字形左右垂直部を包括的に前後２枚のプレートで挟み水平方向を保持する。また、鍵部を受けるプレートを鍵部の下部に沿って配し垂直方向を保持させ、鍵部上方から下方向にバンドで押さえ固定する。
【発明の効果】
【０００１】本発明は次のような効果を奏する。
二輪車盗難防止装置の種類は様々であるが、その携行に於いては収納スペースに限りがあるため、信頼性より手軽さが優先してしまう。本発明は盗難防止Ｕ字形ロック装置の携行を極めて容易にするもので、利用度を高め盗難防止に寄与する。
【図面の簡単な説明】
【０００１】
【図１】Ｕ字形ロック装置携行器具の鳥瞰図である。
【図２】Ｕ字形ロック装置収納状況の鳥瞰図である。
【発明を実施するための形態】
【０００１】本発明であるＵ字形ロック装置携行器具の機構に係る詳細と意義、そして試作から１０年余りの実用に耐えた経緯について、関連メーカーに説明を行い理解と同意を得られた場合、当該メーカーに於いて商品化する。
【符号の説明】
【０００１】１  Ｕ字形ロック装置のＵ字形左側垂直部の内側に沿って配す水平方向保持のための縦長プレートである。
２  １に同じく右側である。
３  Ｕ字形垂直部を包括的に前後に挟み水平方向保持のためのプレートの内、前面プレートである。
４  ３、に同じく背面プレートである。
５  Ｕ字形ロック装置の鍵部を受け、垂直方向保持のためのプレートである。
６  Ｕ字形ロック装置の鍵部を上方より下方向に押さえ固定する固定バンドである。
【図１】
2013141972.tif 000003
【図２】
2013141972.tif 000004
【手続補正書】
【提出日】平成24年4月11日(2012.4.11)
【手続補正１】
【補正対象書類名】明細書
【補正対象項目名】全文
【補正方法】変更
【補正の内容】
【発明の詳細な説明】
【技術分野】
【０００１】本発明はＵ字形ロック装置の二輪車での携行に際し、その収納保持に於ける、取扱を容易にする技術に関する。
【背景技術】
【０００２】Ｕ字形ロック装置の二輪車での携行に際し、車体に組み込まれた収納構造を有する一部の車両を除いては、器具として独立した専用収納機構はない。
【先行技術文献】
【０００３】
【特許文献１】特許公開平９−２９０７８２
【０００４】
【特許文献２】特許公開平１０−１５２０７８
【０００５】
【特許文献３】特許公開平１１−２７８３３７
【０００６】
【特許文献４】特許公開２０００−１２８０４４
【発明の概要】
【発明が解決しようとする課題】
【０００７】盗難防止Ｕ字形ロック装置を二輪車で携行しようとする場合、車体に専用の収納構造を有する一部の車両を除いては他の収納物と混載する場合が多く混雑による不便を生じ、収納スペースにも限りがあるため、二輪車の適切な箇所への収納保持を可能にし、携行を容易にする事を課題とする。
【課題を解決するための手段】
【０００８】前述の課題を解決するため、Ｕ字形ロック装置保持器具を器具として独立させ車体の適切な箇所への連結固定を可能にする。その連結固定に係る方法は、車体の連結固定しようとする箇所の構造状況に応じて多角的に容易に考案されるものである。Ｕ字形ロック装置携行器具としてＵ字形左右垂直部の内側に沿ってＵ字形丸鉄外径に則す縦長プレートを配しＵ字形左右垂直部を包括的に前後２枚のプレートで挟み水平方向を保持する。また、鍵部を受けるプレートを鍵部の下部に沿って配し垂直方向を保持させ、鍵部上方から下方向にバンドで押さえ固定する。
【発明の効果】
【０００９】本発明は次のような効果を奏する。
二輪車盗難防止装置の種類は様々であるが、その携行に於いては収納スペースに限りがあるため、信頼性より手軽さが優先してしまう。本発明は盗難防止Ｕ字形ロック装置の携行を極めて容易にするもので、利用度を高め盗難防止に寄与する。
【図面の簡単な説明】
【００１０】
【図１】Ｕ字形ロック装置携行器具の鳥瞰図である。
【図２】Ｕ字形ロック装置収納状況の鳥瞰図である。
【発明を実施するための形態】
【００１１】本発明であるＵ字形ロック装置携行器具の機構に係る詳細と意義、そして試作から１０年余りの実用に耐えた経緯について、関連メーカーに説明を行い理解と同意を得られた場合、当該メーカーに於いて商品化する。
【符号の説明】
【００１２】１    Ｕ字形ロック装置のＵ字形左側垂直部の内側に沿って配す水平方向保持のための縦長プレートである。
２    １に同じく右側である。
３    Ｕ字形垂直部を包括的に前後に挟み水平方向保持のためのプレートの内、前面プレートである。
４    ３、に同じく背面プレートである。
５    Ｕ字形ロック装置の鍵部を受け、垂直方向保持のためのプレートである。
６    Ｕ字形ロック装置の鍵部を上方より下方向に押さえ固定する固定バンドである。
【手続補正書】
【提出日】平成25年3月5日(2013.3.5)
【手続補正１】
【補正対象書類名】特許請求の範囲
【補正対象項目名】全文
【補正方法】変更
【補正の内容】
【特許請求の範囲】
【請求項１】
車体構造とは関わらず器具としての独立性を基本とし、下記に示すような機構構成を特徴とするＵ字形ロック装置携行器具。
１）器具の母体として下記３）４）の連結構造を有する背面プレート１枚。下記２）を上部辺に沿って一体的に付随する。
２）Ｕ字形ロック装置のＵ字形を形成する垂直部２本の丸鉄棒が挿入されて車輪をロックする鍵部を載せて保持する水平プレート１枚。これは前記１）に対し、その上部辺に沿って一体的に付随される。
３）Ｕ字形ロック装置のＵ字形を形成する垂直部２本の丸鉄棒をその両外側に沿わせておさめ且つ保持部からの脱離を規制する保持構造を有する山形垂直プレート２本。これは１）に対してＵ字形ロック装置のそれぞれの機種の前記垂直部２本の丸鉄棒の間隔幅に応じてその幅方向に移動可能に連結される。
４）鍵部が載せられた２）の上方を１）の背面側から前方へかけ渡して押さえ固定する固定バンド１本。これは１）の背面上部に連結される。
５）Ｕ字形ロック装置のＵ字形を形成する垂直部２本の丸鉄棒と鍵部は、施錠また解錠に際し脱着可能である。
６）これ等１）２）３）でＵ字形ロック装置を保持し４）で固定する。
【手続補正２】
【補正対象書類名】明細書
【補正対象項目名】全文
【補正方法】変更
【補正の内容】
【発明の詳細な説明】
【技術分野】
【０００１】本発明はＵ字形ロック装置の二輪車での携行に際し、その収納保持に於ける取扱を容易にし、サイズの異なる全機種の収納を可能にする技術に関する。
【背景技術】
【０００２】従来技術にあってはＵ字形ロック装置の収納保持機構に於いて車体構造に関与した付属機構で、器具としての独立性がなく収納可能な機種が特定される。
【先行技術文献】
【０００３】
【特許文献１】  特許公開平９−２９０７８２
【０００４】
【特許文献２】  特許公開平１０−１５２０７８
【０００５】
【特許文献３】  特許公開平１１−２７８３３７
【０００６】
【特許文献４】  特許公開２０００−１２８０４４
【発明の概要】
【発明が解決しようとする課題】
【０００７】Ｕ字形ロック装置を二輪車で携行しようとする場合、その収納機構を車体に有する一部の車両を除き、一般的な収納スペースに他の収納物と混載する他なく、混雑による不便不都合を生じ、収納スペースが無い場合は適切な携行が出来ない。
【課題を解決するための手段】
【０００８】器具としての独立性を基本とし、サイズの異なる全機種の収納を可能にするための機構を下記の如く構成する
１）  器具の母体として下記３）４）の連結構造を有する背面プレート１枚。下記２）を上部辺に沿って一体的に付随する。
２）  Ｕ字形ロック装置のＵ字形を形成する垂直部２本の丸鉄棒が挿入されて車輪をロックする鍵部を載せて保持する水平プレート１枚。これは前記１）に対し、その上部辺に沿って一体的に付随される。
３）  Ｕ字形ロック装置のＵ字形を形成する垂直部２本の丸鉄棒をその両外側に沿わせておさめ且つ保持部からの脱離を規制する保持構造を有する山形垂直プレート２本。これは１）に対してＵ字形ロック装置のそれぞれの機種の前記垂直部２本の丸鉄棒の間隔幅に応じてその幅方向に移動可能に連結される。
４）  鍵部が載せられた２）の上方を１）の背面側から前方へかけ渡して押さえ固定する固定バンド１本。これは１）の背面上部に連結される。
５）  Ｕ字形ロック装置のＵ字形を形成する垂直部２本の丸鉄棒と鍵部は、施錠また解錠に際し脱着可能である。
６）  これ等１）２）３）でＵ字形ロック装置を保持し４）で固定する。
【発明の効果】
【０００９】本発明は次のような効果を奏する。
器具としての独立性により任意の適切な箇所への取り付けが可能で、サイズの異なる全機種の収納とＵ字形ロック装置の適切な携行を極めて容易にする。
【図面の簡単な説明】
【００１０】
【図１】Ｕ字形ロック装置携行器具の正面図である。
【図２】Ｕ字形ロック装置携行器具の平面図である。
【図３】Ｕ字形ロック装置携行器具の側面図である。
【図４】Ｕ字形ロック装置携行器具の鳥瞰図である。
【図５】Ｕ字形ロック装置の携行器具への収納状況図である。
【発明を実施するための形態】
【００１１】関連メーカーに本発明の詳細と意義、また試作実装して１０年余りの実用に耐えた経緯を説明し、理解と同意を得られた場合当該メーカーに於いて商品化する。
【符号の説明】
【００１２】１  背面プレートである。山形垂直プレート（３−１：３−２）の２本を横移動可能にボルトナット（５）のそれぞれ２本、合計４本で連結固定する横長のボルト穴（６）を図に示す４箇所に有し、上部辺に沿って水平プレート（２）を一体的に付随する。また、固定バンド（４）を背面上部にビスナット（７）３本で連結固定するビス穴３箇所を図に示すビス位置に有する。
２  水平プレートである。背面プレート（１）の上部辺に沿って一体的に付随される。
３  山形垂直プレートである。図に示すように背面プレート（１）の左側に（３−１）右側に（３−２）の２本をボルトナット（５）のそれぞれ２本で連結固定さ、それぞれのボルト位置にそのボルト穴を有する。
４  固定バンドである。背面プレート（１）の背面上部にビスナット（７）の３本で連結固定されビス位置３箇所にビス穴を有する。尚、バンドの締め付け機構と閉じ機構に付いては、使用バンドの材質により異なり、例えばゴム質を使用して締め付け方向に引っ張る場合や皮革を使用して閉じ部を引っ張り方向に可動固定とする場合等、他に様々な方法が様々な要件で実施されておりますので、この要件に付きましては省略させて頂きます。
５  山形垂直プレート（３−１：３−２）の２本を背面プレート（１）に連結固定するためのボルトナットである。左右合計４本。
６  背面プレート（１）に山形垂直プレート（３−１：３−２）の２本を連結固定するためのボルト（５）４本に対応する横長ボルト穴である。背面プレート（１）の図に示す４箇所に配置される。
７  固定バンド（４）を背面プレート（１）の背面上部に連結固定するビスナットである。３本。
８  Ｕ字形ロック装置の鍵部（１０）を固定バンド（４）で円滑に押さえるため、固定バンド（４）の背面プレート（１）への連結固定位置を背面方向にずらすためのスペーサーである。背面プレート（１）と固定バンド（４）で挟み、固定バンド（４）と同様のビス穴を有する。
９  固定バンド（４）をビスナット（７）３本で背面プレート（１）に連結固定する際ビスナット（７）の締め付け力を固定バンド（４）の締め付け位置に均等に分布させるためのライナーである。
１０  Ｕ字形ロック装置の鍵部である。
１１  Ｕ字形ロック装置のＵ字形部（ロック部材部）である。
＊  Ｕ字形ロック装置は鍵部（１０）にＵ字形部（１１）を挿入して施錠するもので、鍵部（１０）とＵ字形部（１１）は施錠また解錠の際、脱着可能である。
【手続補正３】
【補正対象書類名】図面
【補正対象項目名】全図
【補正方法】変更
【補正の内容】
【図１】
2013141972.tif 000005
【図２】
2013141972.tif 000006
【図３】
2013141972.tif 000007
【図４】
2013141972.tif 000008
【図５】
2013141972.tif 000009